(57)【特許請求の範囲】
【請求項１】
原稿を読み取り画像データを出力するスキャナ手段と、
上記画像データを顕像化して転写紙上に画像形成するエンジン手段と、
上記スキャナ手段及びエンジン手段及び装置の各動作の実行処理を制御する制御手段と、
外部機器を接続する接続手段と、
上記スキャナ手段、エンジン手段及び制御手段に電力を供給する電源手段と、
上記電力の供給、遮断を指示する指示手段と、
上記指示手段からの指示又は上記外部機器から上記接続手段を介して送られて来る指示に応じて上記電源手段を制御する電源制御手段と、
電源投入後に、キー入力、上記エンジン手段、アプリケーションのいずれかからの処理要求かを判定する判定手段と、を備え、
上記電源制御手段は、上記各手段への電力が遮断された状態において、
上記外部機器から電力供給の指示があったとき、上記エンジン手段と制御手段とに電力が供給されるように上記電源手段を制御し、
また、上記指示手段から電力供給の指示があったとき、上記スキャナ手段、エンジン手段及び制御手段に電力が供給されるように上記電源手段を制御するようにし、
上記電源制御手段により電力供給後は、
上記制御手段により、上記判定手段で判定されたキー入力、上記エンジン手段、アプリケーションのいずれかの処理要求に対応して実行処理させるとともに、上記電源制御手段から送出する電源制御信号をオフ禁止にさせることを特徴とする画像形成装置。
【発明の詳細な説明】
【０００１】
【発明の属する技術分野】
本発明は、複写機等に用いられ、省エネルギーモードを備えた画像形成装置に関するものである。
【０００２】
【従来の技術】
従来より、省エネルギーモードを備えた画像形成装置が知られている。この画像形成装置においては、省エネルギーモードへの移行は、操作部に配置された手動ＳＷ（スイッチ）により実行され、また、その復帰は手動ＳＷの再押下、あるいは外部Ｉ／Ｆ（ＰＣに接続されるプリンタユニットやファクシミリ機能を有するファックスユニット）からの復帰要求により実行されることは周知である。
【０００３】
図１５は、従来の省エネルギーモードを備えた画像形成装置を示す。
図１５において、省エネルギーモードへの移行は、操作部３０に配置される主電源ＳＷ８６により行われる。主電源ＳＷ８６が押下されると、電源制御部８２はパワーリレーＳＷ８３をオフする。これにより、主電源８１からの電力供給が停止され、メイン制御部８０、スキャナ部５０、エンジン部９０は非通電状態（省エネルギーモード）となる。
【０００４】
また、省エネルギーモードからの復帰は、主電源ＳＷ８６の再押下、プリンタユニット７３からの復帰要求あるいはファックスユニット７４からの復帰要求のいずれかにより、電源制御部８２はパワーリレーＳＷ８３をオンする。これにより、主電源８１からの電力供給が行われ、メイン制御部８０、スキャナ部５０、エンジン部９０は通電状態（通常モード）となる。
【０００５】
【発明が解決しようとする課題】
上述したように従来では、画像形成装置が省エネルギーモードに移行していて、外部Ｉ／Ｆからの復帰要求があった場合、（スキャナ部を含む）画像形成装置全体に再通電されていた。しかしながら、ＰＣのオンラインプリンタとして画像形成装置を使用する場合は、画像形成装置のスキャナ部は用いず、エンジン部及び画像データ変換部（メイン制御部）を用いるのであり、また、ファクシミリ受信機として画像形成装置を使用する場合も、同様にスキャナ部を必要とすることはない。
【０００６】
本発明は、上記の不具合に鑑みてなされたものであり、外部Ｉ／Ｆからの要求に対し必要最低限の通電状態で機能を動作させることを目的とする。
【０００７】
【課題を解決するための手段】
本発明においては、上記の目的を達成するために、原稿を読み取り画像データを出力するスキャナ手段と、上記画像データを顕像化して転写紙上に画像形成するエンジン手段と、上記スキャナ手段及びエンジン手段及び装置の各動作の実行処理を制御する制御手段と、外部機器を接続する接続手段と、上記スキャナ手段、エンジン手段及び制御手段に電力を供給する電源手段と、上記電力の供給、遮断を指示する指示手段と、上記指示手段からの指示又は上記外部機器から上記接続手段を介して送られて来る指示に応じて上記電源手段を制御する電源制御手段と、電源投入後に、キー入力、上記エンジン手段、アプリケーションのいずれかからの処理要求かを判定する判定手段と、を備え、上記電源制御手段は、上記各手段への電力が遮断された状態において、上記外部機器から電力供給の指示があったとき、上記エンジン手段と制御手段とに電力が供給されるように上記電源手段を制御し、また、上記指示手段から電力供給の指示があったとき、上記スキャナ手段、エンジン手段及び制御手段に電力が供給されるように上記電源手段を制御するようにし、上記電源制御手段により電力供給後は、上記制御手段により、上記判定手段で判定されたキー入力、上記エンジン手段、アプリケーションのいずれかの処理要求に対応して実行処理させるとともに、上記電源制御手段から送出する電源制御信号をオフ禁止にさせる。
【００１０】
【発明の実施の形態】
以下、本発明の実施の形態について図面を用いて説明する。
図１は画像形成装置の電源部を示したブロック図である。
図１において、画像形成装置を制御するメイン制御部８０とそれに対して電力を供給する主電源８１が備わっている。また、電源制御部８２とこの電源制御部８２からの制御により動作するパワーリレーＳＷ８３および電源制御部８２に電力を供給する補助電源８５が備わっている。そして、パワーリレーＳＷ８３によって主電源８１からの電力の供給が制御される。電源制御部８２へは、メイン制御部８０からの電源制御信号８０ａが加えられると共に、操作部３０内の手動で電源を制御するための主電源ＳＷ８６からの制御信号が加えられる。また、本発明によるパワーリレーＳＷ８４と電源制御部８２内のパワーオンレジスタ８７とが備わっている。
【００１１】
まず、第１の動作について図１を用いて説明する。この場合の動作条件は、プリンタユニット７３あるいはファックスユニット７４から省エネルギーモードからの復帰要求があった場合、スキャナ部５０を使用する必要はなく、メイン制御部８０及びエンジン部９０を用いて画像データを出力することである。
【００１２】
図１において、省エネルギーモードへの移行は図１５の従来例と同様に行われる。
次に、省エネルギーモードからの復帰は、主電源ＳＷ８６の再押下、プリンタユニット７３からの復帰要求あるいはファックスユニット７４からの復帰要求のいずれかにより行われる。この復帰要求により、電源制御部８２はパワーリレーＳＷ８３をオンする。これにより、主電源８１からの電力供給が行われ、メイン制御部８０、エンジン部９０は通電状態（通常モード）となる。メイン制御部８０は、所定の初期設定を済ませた後、電源制御部８２のパワーオンレジスタ８７をチェックする。
【００１３】
ここで、パワーオンレジスタ８７について図２を用いて説明する。
パワーオンレジスタ８７は４ビット構成のレジスタであり、最上位ビット（ｂｉｔ３）は、メインＳＷオンによりシステム全体が立ち上がった場合にセットされる。ｂｉｔ２は、主電源ＳＷ８６押下により１にセットされる。ｂｉｔ１は、プリンタユニット７３からの復帰要求により１にセットされる。最下位ビット（ｂｉｔ０）は、ファックスユニット７４からの復帰要求により１にセットされる。（例えばプリンタユニット７３からの復帰要求の場合、パワーオンレジスタ８７は００１０、すなわち２Ｈを示す。）
【００１４】
メイン制御部８０が電源制御部８２のパワーオンレジスタ８７をチェックし、その値が２Ｈ又は１Ｈの場合は、後述する図８のセレクタ６４を切り替え、データバスをプリンタユニット７３またはファックスユニット７４に接続する。そしてその際は、メイン制御部８０はパワーリレーＳＷ８４に対しオン命令を出力せず、スキャナ部５０は非通電状態のままとなる。メイン制御部８０は、電源制御部８２のパワーオンレジスタ８７のチェックを終了したら、パワーオンレジスタ８７全ての値を０にリセットする。
【００１５】
次に、第２の動作について説明する。この場合の動作条件は、ユーザが主電源ＳＷ８６押下することによって省エネルギーモードからの復帰要求があった場合は、コピー機能あるいはファクシミリ送信機能を使用する場合であり、スキャナ部５０を使用する可能性が高いことである。
【００１６】
この場合は、まず、メイン制御部８０が電源制御部８２のパワーオンレジスタ８７をチェックし、その値が８Ｈ又は４Ｈの場合は、パワーリレーＳＷ８４に対しオン命令を出力し、これによりスキャナ部５０は通電状態となる。メイン制御部８０は、電源制御部８２のパワーオンレジスタ８７のチェックを終了したら、パワーオンレジスタ８７の全ての値を０にリセットする。
【００１７】
上述した各動作のフローチャートを図３に示す。
図３において、ステップ１０１で電源ＯＮになるとステップ１０２で初期設定した後、ステップ１０３でパワーオンレジスタ８７のレジスタ値をチェックする。次にステップ１０４でレジスタ値が１Ｈ又は２Ｈであるかを調べる。レジスタ値が１Ｈ又は２Ｈであれば、スキャナ部５０を使用しないものとして、ステップ１０５，１０６でセレクタ６４を切り替えると共にパワーリレーＳＷ８４をオフにした後、ステップ１０８に進む。またレジスタ値が１Ｈ又は２Ｈであれば、スキャナ部５０を用いるものとして、ステップ１０７で各リレーＳＷ８３，８４をＯＮにした後、ステップ１０８に進む。ステップ１０８では、パワーオンレジスタ８７をリセットし、ステップ１０９でメインルーチンに戻る。
【００１８】
次に、画像形成装置の各部の詳細な構成及び動作について図４〜図１４を用いて説明する。
図４は画像形成装置の構成を示す。
図４において、自動原稿送り装置（以下ＡＤＦと称す。）１にある原稿台２に原稿の画像面を上にして置かれた原稿束は、操作部３０上のスタートキー３４が押下されると、一番下の原稿から給送ローラ３、給送ベルト４によってコンタクトガラス６上の所定の位置に給送される、読み取りユニット（スキャナ部）５０によってコンタクトガラス６上の原稿の画像データを読み取り後、読み取りが終了した原稿は、給送ベルト４及び排送ローラ５によって排出される。さらに、原稿セット検知７にて原稿台２に次の原稿が有ることを検知した場合、前原稿と同様にコンタクトガラス６上に給送される。給送ローラ３、給送ベルト４、排送ローラ５は搬送モータ２６（図５に図示）によって駆動される。
【００１９】
第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。読み取りユニット５０にて読み込まれた画像データは、書き込みユニット５７からのレーザーによって感光体１５に書き込まれ、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００２０】
後処理装置のフィニシャ１００は、本体の排紙ユニット１８によって搬送された転写紙を、通常排紙ローラ１０２方向と、ステープル処理部方向に導くことができる。切り替え板１０１を上に切り替えることにより、搬送ローラ１０３を経由して通常排紙トレイ１０４側に排紙することができる。また、切り替え板１０１を下方向に切り替えることで、搬送ローラ１０５，１０７を経由して、ステープル台１０８に搬送することができる。
【００２１】
ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
一方、通常の排紙トレイ１０４は前後に移動可能な排紙トレイである。前後に移動可能な排紙トレイ部１０４は、原稿毎、あるいは、画像メモリによってソーティングされたコピー部毎に前後に移動し、簡易的に排出されてくるコピー紙を仕分けるものである。
【００２２】
転写紙の両面に画像を作像する場合は、各給紙トレイ８〜１０から給紙され作像された転写紙を排紙トレイ１０４側に導かないで、経路切り替えの為の分岐爪１１２を上側にセットすることで、一旦両面給紙ユニット１１１にストックする。
その後、両面給紙ユニット１１１にストックされた転写紙は再び感光体１５に作像されたトナー画像を転写するために、両面給紙ユニット１１１から再給紙され、経路切り替えの為の分岐爪１１２を下側にセットし、排紙トレイ１０４に導く。この様に転写紙の両面に画像を作成する場合に両面給紙ユニット１１１は使用される。
【００２３】
感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５（図５に図示）の駆動を中間クラッチ２１によって伝達駆動される。
【００２４】
図５はメインコントローラを中心に、メイン制御部８０内をさらに細かく図示したものである。
メインコントローラ２０は画像形成装置全体を制御する。メインコントローラ２０には、オペレータに対する表示、オペレータからの機能設定入力制御を行う操作部３０、スキャナの制御、原稿画像を画像メモリに書き込む制御、画像メモリからの作像を行う制御等を行う画像処理部４９（以下ＩＰＵと称す。）、ＡＤＦ１等の分散制御装置が接続されている。
各分散制御装置とメインコントローラ２０は必要に応じて機械の状態、動作指令のやりとりを行っている。また紙搬送等に必要なメインモータ２５、各種クラッチ２１〜２４も接続されている。
【００２５】
操作部３０には、液晶タッチパネル３１、テンキー３２、クリア／ストップキー３３、プリントキー３４、モードクリアキー３５、コピー中の動作を中断して別のコピー処理をさせる為の割込キー３６、ファックス機能を選択するための切り替えキー３７やオンラインプリンタ機能を選択するための切り替えキー３８がある。液晶タッチパネル３１には、モード設定用機能キー（表示）、部数、及び画像形成装置の状態を示すメッセージなどが表示される。
【００２６】
また、オンラインプリンタ機能切り替えキー３８が押下されることにより、メインコントローラ２０は、オンラインプリンタ機能回路部７３に対し実行処理許可を与える。また、パーソナルコンピュータ（図示しない）等からの実行処理要求がプリンタユニット７３内のオンラインプリンタ機能回路部を介してメインコントローラ２０に送信されると、メインコントローラ２０は画像形成装置の実行ジョブ状態、他のアプリケーション機能回路部（例えば、ここではファクシミリユニット７４内のファクシミリ機能回路部）のジョブ実行状態から判断して、オンラインプリンタ機能回路７３に対し実行処理許可を与える。メインコントローラ２０により実行処理実行許可を得たオンラインプリンタ機能回路部７３は、パーソナルコンピュータからの画像信号および制御コマンドを受け取り、セレクタ６４（図８に図示）を介してＩＰＵ４９に転送する。
以上はファクシミリ機能回路部についても同様である。
【００２７】
図６，図７は操作部３０の液晶タッチパネル３１の表示例を示した図である。
オペレータが液晶タッチパネル３１に表示されたキーにタッチすることで、選択された機能を示すキーが黒く反転し、機能が選択される。液晶タッチパネル３１は、ドット表示器を使用している為、その時の最適な表示をグラフィカルに行うことが可能である。その他、所定のキー３１〜３７が設けられている。尚、図７の表示ついては後述する。
【００２８】
次に図４における画像読み取り動作および画像を記録面上に潜像形成するまでの構成及び動作を説明する。潜像とは感光体面上に画像を光情報に変換して照射することにより生じる電位分布である。
読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。露光ランプ５１及び第１ミラー５２は図示しない第１キャリッジ上に固定され、第２ミラー５５及び第３ミラー５６は図示しない第１キャリッジ上に固定されている。
【００２９】
原稿像を読み取るときには、光路長が変わらないように、第１キャリッジ第２キャリッジとが２対１の相対速度で機械的に走査される。この光学走査系は、図示しないスキャナ駆動モータにて駆動される。原稿画像は、ＣＣＤイメージセンサ５４によって読み取られ、電気信号に変換されて処理される。レンズ５３及びＣＣＤイメージセンサ５４を図において左右方向に移動させることにより、画像倍率が変わる。すなわち、指定された倍率に対応してレンズ５３及びＣＣＤイメージセンサ５４の左右方向に位置が設定される。
【００３０】
書き込みユニット５７はレーザ出力ユニット５８、結像レンズ５９、ミラー６０で構成され、レーザ出力ユニット５８の内部には、レーザ光源であるレーザダイオード及びモータによって高速で定速回転する回転多面鏡（ポリゴンミラー）が備わっている。
レーザ出力ユニット５８より照射されるレーザ光は、定速回転するポリゴンミラーで偏光され、結像レンズ５９を通り、ミラー６０で折り返され、感光体面上に集光結像する。
偏光されたレーザ光は感光体が回転する方向と直行する方向（主走査方向）に露光走査され、後述する画像処理部のセレクタ６４より出力された画像信号のライン単位の記録を行う。感光体の回転速度と記録密度に対応した所定の周期で主走査を繰り返すことによって、感光体面上に画像（静電潜像）が形成される。
【００３１】
上述のように、書き込みユニット５７から出力されるレーザ光が、画像作像系の感光体１５に照射される。図示しないが感光体１５の一端近傍のレーザビームを照射される位置に、主走査同期信号を発生するビームセンサが配置されている。この主走査同期信号をもとに主走査方向の画像記録開始タイミングの制御、および後述する画像信号の入出力を行うための制御信号の生成を行う。
【００３２】
次に、図８を用いてＩＰＵ４９の構成について説明する。露光ランプ５１から照射された光は原稿面を照射し、原稿面からの反射光を、ＣＣＤイメージセンサ５４にて結像レンズ（図示せず）により結像、受光して光電変換し、Ａ／Ｄコンバータ６１にてデジタル信号に変換する。デジタル信号に変換された画像信号は、シェーディング補正６２がなされた後、画像処理部６３にてＭＴＦ補正、γ補正等がなされ、変倍部７１にて変倍処理がなされる。変倍後の画像データは、斜体、白黒反転、ミラーリングなどの画像加工を行う編集ユニット７２に送られる。そしてセレクタ６４に送られた画像信号は、書き込みユニット５７へと転送される。
また、セレクタ６４は、プリンタユニット７３内のオンラインプリンタ機能回路部、ファクシミリユニット７４内のファクシミリ機能回路部からの画像信号及び制御コマンドを受け取ることができ、バスを必要に応じて切り替える。
【００３３】
上記オンラインプリンタ機能回路部、ファクシミリ機能回路部からの画像信号及び制御コマンドは、セレクタ６４を介してメモリコントローラ６５に送信される。そして画像信号は画像メモリ６６に、制御コマンドはＲＡＭ７０にそれぞれ格納される。（画像メモリ６６、ＲＡＭ７０は、補助電源８４から電力供給を受けてもよいし、あるいは電池等による電力供給を受けてもよい。）
【００３４】
以下フローチャートに従って動作について説明する。
図９にメインフローを示す。
電源を投入すると、まず初期化処理が行われる（ステップ０１）。初期化の主な内容は、画像メモリの管理領域などの各種フラグ、各種カウンターのクリア、画像メモリ６６のクリア、画像形成モードのリセット等を行う。（初期化のフローは図示せず。）このとき、電源制御信号は、「オフ許可」である。
【００３５】
初期化終了後、キー入力又は、画像形成制エンジンからのイベント（何等かの変化要因）およびアプリケーションからのイベントの発生待ちとなる（ステップ０２）。
ユーザーが何等かのキー操作を行うと、操作部３０よりキー入力イベントとして通知される。同様に、何等かの画像形成制エンジンの変化、例えばＡＤＦ１に原稿をセットすると原稿セット検知７の信号の変化がエンジン・イベントとして通知される。そして何れかのイベントが発生すると、ステップ０３に進む。
【００３６】
ステップ０３では、発生したイベントがキー入力なのか、エンジンなのか、あるいはアプリケーションからの処理要求なのかを判定する。エンジンの場合は、エンジン・イベント処理（ステップ０４）、キー入力の場合は、キー入力イベント処理（ステップ０５）、アプリケーションからの処理要求の場合は、アプリケーション・イベント処理（ステップ０６）が呼び出され、再びステップ０２のイベント待ちとなる。
【００３７】
図１０にキー入力イベント処理のフローの一部を示す。
ステップ１１からステップ１５は、入力されたキーを判断する為の判定である。ステップ１６からステップ２０は、各キーに対応した処理である。（液晶画面上のタッチパネルに表示されたボタン状の表示も「キー」と表現する。）例えばプリントキー３４（図６に図示）が押下された場合は、ステップ１１から右方に分岐し、コピー処理（ステップ１６）が呼び出される。
【００３８】
図１１にアプリケーション・イベント処理のフローの一部を示す。
アプリケーションからの実行処理要求があると電源制御信号を「オフ禁止」とする（ステップ８１）。そして、セレクタ６４（図８に図示）を切り替え（ステップ８２）、アプリケーションに対し実行処理許可を与える（ステップ８３）。アプリケーションからの画像データおよび処理コマンドは、一旦画像メモリ６６およびＲＡＭ７０に格納され、すべてのメモリ書き込み処理が終了した後、セレクタ６４を元に戻し（ステップ８４）、電源制御信号８０ａを「オフ許可」とする（ステップ８５）。
【００３９】
ここで、もしスイッチ８６がオフ状態であれば、図１２以降の電源制御処理により主電源８１はオフされる。スイッチ８６がオン状態であれば、画像メモリ６６に格納された画像信号は、通常の展開処理をされ、セレクタ６４を介して書き込みユニット５７へと転送される。
【００４０】
次に主電源８１の基本的な制御について図１２以降のフローを用いて説明する。尚、ここでは省エネルギーモードに関しては、特に考慮されていないものとする。図１２は電源制御部８４のメインフローである。
電源スイッチ８６の状態の監視（ステップ５０）と、電源制御信号８５の状態の監視（ステップ５１）を繰り返し行っている。
【００４１】
図１３は電源スイッチ８６の監視処理である。
電源スイッチの入力があると（ステップ６０−Ｙ）、主電源８６がオン状態かどうかチェックし（ステップ６２）、オフ状態であれば（ステップ６２−Ｎ）、リレースイッチを接続し、主電源への電源供給を行う（ステップ６４）。主電源８６がオン状態であった場合（ステップ６２−Ｙ）、電源制御信号８５の状態をチェックし、オフ許可状態であれば（ステップ６３−Ｙ）、主電源のオフ処理を行う（ステップ６５）。オフ禁止状態であれば（ステップ６３−Ｎ）、電源スイッチオフフラグをセットし（ステップ６６）、電源オフ処理を保留した旨を操作部３０の液晶ディスプレイ３１に表示する（ステップ６７）。その表示状態を図７に示す。
【００４２】
図１４は電源制御信号８０ａの監視処理である。
電源スイッチオフフラグがセットされている場合（ステップ７０−Ｙ）、電源制御信号８５がオフ許可状態かどうかチェックし（ステップ７１）、許可状態であればリレースイッチを解放状態にし、主電源への電力供給を遮断する（ステップ７２）。そして、電源スイッチオフフラグはリセットする（ステップ７３）。
【００４３】
以上の動作によって、アプリケーション機能実行中に主電源を切るための電源オフ操作をしても、ジョブの実行中は電源制御信号がオフ禁止とされているため、誤って電源が切られることが防止される。またアプリケーション機能のジョブの終了後、自動的に電源を切ることが可能となる。
尚、省エネルギーモードを含めた動作については、図１〜図３について説明した通りである。
【００４４】
【発明の効果】
以上説明したように、請求項１の発明によれば、外部からの復帰要求により省エネルギーモードから復帰する場合は、スキャナ部への駆動電源供給開始を行わないようにすることにより、ＰＣのオンラインプリンタとして画像形成装置を使用する場合、またはファクシミリ受信機として画像形成装置を使用する場合に不必要なスキャナ部に通電することなく、必要最低限の通電状態で機能を動作させることができ、また、手動等の指示手段からの要求により省エネルギーモードから復帰する場合は、コピー機能あるいはファクシミリ送信機能を使用する場合と判断して、スキャナ部への駆動電源供給開始を行うことにより、必要な機能動作環境を提供することができる。また、アプリケーション機能実行中に主電源を切るための電源オフ操作をしても、ジョブの実行中は電源制御信号がオフ禁止とされているため、誤って電源が切られることが防止される。またアプリケーション機能のジョブの終了後、自動的に電源を切ることが可能となる。
【図面の簡単な説明】
【図１】本発明の実施の形態を示すブロック図である。
【図２】パワーオンレジスタの構成図である。
【図３】本発明の実施の形態の動作を示すフローチャートである。
【図４】画像形成装置の構成図である。
【図５】メイン制御部の構成を示すブロック図である。
【図６】操作部及びそのタッチパネルの表示例を示す構成図である。
【図７】操作部のタッチパネルの表示例を示す構成図である。
【図８】画像処理部の構成を示すブロック図である。
【図９】画像形成装置の動作を示すメインフローチャートである。
【図１０】キー入力イベント処理のフローチャートである。
【図１１】アプリケーション・イベント処理のフローチャートである。
【図１２】主電源の基本的な制御処理のフローチャートである。
【図１３】主電源スイッチの監視処理のフローチャートである。
【図１４】電源制御信号の監視処理のフローチャートである。
【図１５】従来の画像形成装置の電源部を示すブロック図である。
【符号の説明】
５０  スキャナ部
７３  プリンタユニット
７４  ファックスユニット
８０  メイン制御部
８１  主電源
８２  電源制御部
８３，８４  パワーリレーＳＷ
８６  主電源ＳＷ
８７  パワーオンレジスタ
９０  エンジン部
６４  セレクタ
【図１】
0003668601.tif 000002
【図２】
0003668601.tif 000003
【図３】
0003668601.tif 000004
【図４】
0003668601.tif 000005
【図５】
0003668601.tif 000006
【図６】
0003668601.tif 000007
【図７】
0003668601.tif 000008
【図８】
0003668601.tif 000009
【図９】
0003668601.tif 000010
【図１０】
0003668601.tif 000011
【図１１】
0003668601.tif 000012
【図１２】
0003668601.tif 000013
【図１３】
0003668601.tif 000014
【図１４】
0003668601.tif 000015
【図１５】
0003668601.tif 000016